(57)【要約】      （修正有）【課題】容易に植え替えが可能となる四角型または円形型組み立て式植木鉢を提供する。【解決手段】組み合わせタガを用いた、逆四角錐台形の四角型組み立て式植木鉢または逆円錐台形の円形型組み立て式植木鉢であって、鉢壁は、四角型の場合は鉢壁のそれぞれの角を縦に４分割した同型の鉢壁により１組が構成され、円形型の場合は口径の大きさにより、縦に３分割、または、４分割した同型の鉢壁により１組が構成され、組み合わせタガ３、４は、それぞれ分割された鉢壁の外側に密接する長方形または弧の形をしたタガで１組が構成され、互いのタガを連結するための突起物とこの突起物を受け入れる穴を備えた同型のタガで、それぞれ四角型または円形型の連結タガに組み立て、これらは鉢の深さにより複数が用意され、さらに、それぞれ四角形または円形の中心部に排水用の鉢底穴を有する鉢底板で構成される。【選択図】図１
0003230909.tif 000002
【実用新案登録請求の範囲】
【請求項１】
中〜大型の植木鉢に植えられた植木を植替える際、成長した根が鉢壁を圧迫し、植木を引き抜くことが困難となる。従って、鉢壁を叩いたり、鉢底板の排水穴から棒を押し込んで押し上げたり、金尺定規などの薄く細長い金属板を根と鉢壁の間に差し込んで隙間をつくってから複数人で植木鉢を斜めにして植木を引き抜くことになる。その際、植木鉢を破損するとか、大事な植木の枝を折るなどと大層苦労しているのが現状である。
そこで、古来より多方面で使われている桶から発想し、四角型組み立て式植木鉢の場合は４枚、円形型の場合は口径の長短により３〜４枚に分割した鉢壁、ならびに鉢の深さにより３〜４組のタガを組み合わせ、分割鉢壁を組み立て上下逆さまにして大きい方の組み合わせタガから順にハメ込み組み、タガの接合部を硬質ゴムハンマーなどで叩いてシッカリと鉢壁に固定し上下を元の位置に戻し、鉢底板を置いて組み立てが完成となる。
植替えの時は、組み合わせタガの連結部位を硬質ゴムハンマーなどで下方に軽く叩くことにより容易にタガが外れ、組み立て鉢壁も外れて植木鉢や植木の枝を損傷すること無く、短時間での植替えが可能となる。
更に、これら四角型ならびに円形型の組み立て式植木鉢は、分割鉢壁と組み合わせるタガ、ならびに鉢底板がバラバラの部品と成り、従来の中〜大型植木鉢に比し梱包が小規模でスペースをあまり取らず、保管・運搬・販売用の展示においても有用である。
【請求項２】
請求項１の組み合わせタガに代わり、個々の鉢壁の結合部分をボルトとナットなどの連結器具で固定する組み立て式植木鉢も併せて実用新案登録の範囲とする。
尚、タガが不要なことから製造が簡易で製造コストが安くなり、容易に鉢壁を固定することが可能となる。ただし、鉢の外観としてはボルトとナットなどの連結器具が植木鉢に余り相応しくないと思われることから、鉢と同じ材質の連結器具が好ましいと考える。
更に、請求項１と同様に、従来の中〜大型植木鉢に比し梱包が小規模となりスペースをあまり取らず、保管・運搬・販売用の展示においても有用である。
【考案の詳細な説明】
【技術分野】
【０００１】  本考案は、中〜大型植木鉢に植えられた植木の根が張り詰め、内側から鉢壁を強く圧迫することで、植木の植替えが困難となっていることから、植木鉢を組み立て式にすることで容易に植替えが可能となる組み立て式植木鉢に関するものである。
材質はポリプロピレンなどの熱可塑性樹脂とする。
【背景技術】
【０００２】  張り詰めた根の内側からの圧力により、鉢から植木を引き抜くことが困難であり、時に植木鉢や枝を破損してしまう。
【先行文献】
【特許文献】
【０００３】
【非特許文献】
【０００４】
【考案の概要】
【考案が解決しようとする課題】
【０００５】  根が張り詰めたために植木鉢から植木を引き抜くことが困難な場合、鉢壁を叩くとか、鉢壁と根の間を金尺定規などの薄く細長い金属板を差し込み鉢壁と根の間に隙間をつくるとか、鉢底板の排水穴から棒を差し込み押し上げるとか、複数人で植木鉢を斜めにして強引に植木を引き抜こうと苦労しているのが現状である。
【課題を解決しようとする手段】
【０００６】  植替えが困難な従来の中〜大型鉢に比較し、組み立て式植木鉢にすることで容易に鉢壁を外すことが可能となり、植木鉢の破損や植木の枝を折ることなく、結果的に植替えが容易となり、なおかつ短時間で完了することが可能となる。
【考案の効果】
【０００７】  根が張り詰めたことによる植替えの困難さを解決し、時に植木鉢を破損するとか、植木の枝を折るなどの不具合をも解決しようとするものである。
さらに、従来の口径の大きな中〜大型植木鉢に比較し、組み立て式植木鉢は分割鉢壁、組み合わせタガ、鉢底板がバラバラになっていることから小規模に包装することが可能となり、スペースもあまり取らず、保管・運搬・販売用の展示においても有用となる。
【図面の簡単な説明】
【０００８】
【図１】  組み合わせタガを用いた四角型組み立て式植木鉢の完成図である。
【図２】  組み合わせタガを用いた四角型組み立て式植木鉢を上から見た図である。
【図３】  鉢壁と上部縁ならびに鉢底板を支える縁と鉢壁同士の接合部位の図である。
【図４】  組み合わせタガの接合部位の図である。
【図５】  鉢底板の下面の図である。
【図６】  組み合わせタガを用いた円形型組み立て式植木鉢の完成図である。
【図７】  円形型組み立て式植木鉢の円形型組み合わせタガの図である。
【図８】  円形型組み立て式植木鉢の鉢底板の下面の図である。
【図９】  連結器具による四角形型組み立て式植木鉢の完成図である。
【図１０】  連結器具による四角形型組み立て式植木鉢の鉢壁の外側の図である。
【図１１】  連結器具による四角形型組み立て式植木鉢の鉢壁の内側の図である。
【図１２】  連結器具による四角形型組み立て式植木鉢の鉢底板の下面の図である。
【図１３】  連結器具による円形型組み立て式植木鉢の完成図である。
【図１４】  連結器具による円形型組み立て式植木鉢の鉢壁の外側の図である。
【図１５】  連結器具による円形型組み立て式植木鉢の鉢壁の内側の図である。
【図１６】  連結器具による円形型組み立て式植木鉢の鉢底板の下面の図である。
【図１７】  ボルトとナットの代わりとして使用可能な連結器具の１例の図である。
【考案を実施するための形態】
【０００９】  四角型組み立て式植木鉢の場合、４分割した同じ型の鉢壁と、４本で１組と成る組み合わせタガを鉢の高さによって３組あるいは４組と１枚の鉢底板で組み立てる。円形型組み立て式植木鉢の場合は、口径の長さにより３分割あるいは４分割の鉢壁と分割鉢壁の数と同じ３本あるいは４本で１組と成る組み合わせタガを鉢の高さにより３組あるいは４組と１枚の鉢底板で組み立てる。
組み合わせタガの代わりにボルトとナットなどの連結器具を用いる組み立て式植木鉢の場合は、四角型ならびに円形型組み立て式植木鉢ごとに分割された鉢壁は両側にボルトとナットなどの連結器具で固定可能な帯状で連結器具用の穴が開いた縁が鉢壁と一体化されており、この分割鉢壁と１枚の鉢底板、連結器具とで組み立てる。
【実施例】
【００１０】  図１は、組み合わせタガを用いた四角型組み立て式植木鉢の完成図である。１は、鉢壁の最上部がタガと同じ幅で外側に折れ曲がった縁であり、２の最上部に位置する最大組み合わせタガのストッパーとなり、同時に２は鉢壁にシッカリ固定される。これらが一体となって持ち上げるための桟となる。３、４は、鉢の高さに応じて１組あるいは２組が設置される組み合わせタガである。５は、最小の組み合わせタガで、鉢底部分にシッカリ収まり、鉢壁の接合部を固定する。【００１１】  図２は、組み合わせタガを用いた四角型組み立て式植木鉢を上から見た図である。６は組み合わせタガの接合部であり、７は鉢壁の上部で外側に折れ曲がった縁でタガのストッパーとなり、鉢壁連結後の角度は１２０度ほど開いている。これは植替え時に組み立て式植木鉢を解体する際、最上部のタガの角を硬質ゴムハンマーなどで叩き易くするのと同時に、鉢壁の縁を破損させないためである。８は、鉢壁同士が連結する両側の上から下まで三角形の長い出っ張りの縁として鉢壁と一体化している。これにより連結部分の幅が広くなり、より強度な連結が可能となり、さらに漏水の防止ともなる。【００１３】  図３は、鉢壁と最大タガのストッパーとなる上部縁ならびに鉢内側の鉢底板を支える縁と鉢壁の連結部位である。９は、鉢底部分の内側に折れ曲がった縁で、鉢底板を支える。【００１４】  図４は、組み合わせタガの接合部位の図である。１０は、連結するための円柱突起物で、１１は、円柱突起物を受け入れる穴である。この部品が４本１組で四角型の組み合わせタガとなる。【００１５】  図５は、鉢底板の下面の図である。１２は植木と土壌の重量と発育した根の圧力に対する強化用の井形である。この井形は、鉢底板をより厚くすることで不要となる。１３は、鉢底板の排水穴で、１４は鉢底板の角がカットされている。これは分割鉢壁同士が連結する部位として鉢壁の両側の上から下まで三角形の長い出っ張りの縁が鉢壁と一体化しており、これらを受け入れるためにカットされている。【００１６】  図６は、組み合わせタガを用いた円形型組み立て式植木鉢の完成図である。口径の長さにより鉢壁を３つあるいは４つに分割し、その数に合わせた組み合わせタガで円形のタガに組み合わせるが、これらは四角型組み立て式植木鉢と同じ発想である。【００１７】  図７は、円形型組み立て式植木鉢の円形型組み合わせタガの図であるが、基本的に四角型組み合わせタガと同じである。ただ、口径の長さにより３つあるいは４つに鉢壁が分割されるため、これに合わせて３つあるいは４つのタガで１組の円形タガとなる。【００１８】  図８は、円形型組み立て式植木鉢の鉢底板の下面の図である。鉢壁が３つあるいは４つに分割されるが、その分割数に合わせて円形底板の外側に１５で示したように三角形の切れ込みを入れる。これは分割鉢壁同士が連結する部位として鉢壁の両側の上から下まで三角形の長い出っ張りの縁が鉢壁と一体化しており、これを受け入れるための切込みである。【００１９】  図９は、ボルトとナットなどの連結器具による四角形型組み立て式植木鉢の完成図である。１６は、桟から鉢底まで外に向かった細長い帯状の縁で鉢壁と一体化しており、これに１７で示したボルトなどの連結器具が入る穴が開けられている。これらにより鉢壁同士がシッカリと連結され、漏水の防止にもなる。【００２０】  図１０は、ボルトとナットなどの連結器具による四角型組み立て式植木鉢の鉢壁の外側の図である。１８は鉢壁の外側に一体化されている帯であるが、これにより鉢内からの圧力に対抗して鉢壁の膨らみを防ぐことが可能となる。【００２１】  図１１は、ボルトとナットなどの連結器具による四角型組み立て式植木鉢の鉢壁の内側の図である。１９は、鉢底部に鉢壁と一体化して内側に伸びた縁で、鉢底板を支える。【００２２】  図１２は、ボルトとナットなどの連結器具による四角型組み立て式植木鉢の鉢底板の下面図である。２０は、鉢底板の角がカットされていないが、これは分割鉢壁の両側に桟から鉢底まで外に向かった細長い帯状の縁が一体化されており、これら幅がある縁をボルトとナットなどの連結器具がシッカリ固定することで漏水の恐れもないことから、タガを用いる分割鉢壁の内側を補強するための桟から鉢底まで三角形の縁の必要性がなくなったためである。【００２３】  図１３は、ボルトとナットなどの連結器具による円形型組み立て式植木鉢の完成図である。口径の長さにより鉢壁を３つあるいは４つに分割するが、連結器具による四角型組み立て式植木鉢と同じ発想である。【００２４】  図１４は、ボルトとナットなどの連結器具による円形型組み立て式植木鉢の鉢壁の外側の図である。これはボルトとナットなどの連結器具による四角型組み立て式植木鉢と同じ発想である。【００２５】  図１５は、ボルトとナットなどの連結器具による円形型組み立て式植木鉢の鉢壁の内側の図である。これはボルトとナットなどの連結器具による四角型組み立て式植木鉢と同じ発想である。【００２６】  図１６は、ボルトとナットなどの連結器具による円形型組み立て式植木鉢の鉢底板の下面の図である。これはボルトとナットなどの連結器具による四角型組み立て式植木鉢と同じ発想で、２１のように円形の鉢底板の縁に切れ目を入れる必要はない。【００２６】  図１７は、ボルトとナットの代わりとして使用可能な連結器具の１例の図である。
隣り合った鉢壁を合わせ、連結器具の２２の部分をボルト用の穴に差し込み、２３の柄を下げると２４により鉢壁の外側に一体化した細長い帯状の縁２枚が両側からシッカリと挟み込まれる。また、図７の連結器具の場合、ボルトとナットを締めるモンキースパナなどの工具が不要となることが長所である。
【符号の説明】
【００２７】１  ４分割された鉢壁と一体化された最上部の外側に折れ曲がった縁で、その幅はタガ幅と同じである。
１０  組み合わせタガの連結部位でタガと一体となった円柱突起である。
１１  組み合わせタガの連結部位で隣り合わせになる円柱突起を受け入れる穴である。
１６  分割された鉢壁の両側の外側に鉢壁と一体となった最上部から鉢底まで折れ曲がった縁で、分割鉢壁の連結部分である。
１７  分割外壁同士の連結部分で、ボルトとナットなどの連結器具の一部が差し込まれる穴である。
【図１】
0003230909.tif 000003
【図２】
0003230909.tif 000004
【図３】
0003230909.tif 000005
【図４】
0003230909.tif 000006
【図５】
0003230909.tif 000007
【図６】
0003230909.tif 000008
【図７】
0003230909.tif 000009
【図８】
0003230909.tif 000010
【図９】
0003230909.tif 000011
【図１０】
0003230909.tif 000012
【図１１】
0003230909.tif 000013
【図１２】
0003230909.tif 000014
【図１３】
0003230909.tif 000015
【図１４】
0003230909.tif 000016
【図１５】
0003230909.tif 000017
【図１６】
0003230909.tif 000018
【図１７】
0003230909.tif 000019
【手続補正書】
【提出日】令和2年9月24日(2020.9.24)
【手続補正１】
【補正対象書類名】実用新案登録請求の範囲
【補正対象項目名】全文
【補正方法】変更
【補正の内容】
【実用新案登録請求の範囲】
【請求項１】
組み合わせタガを用いた四角型並びに円形型組み立て式
植木鉢
【請求項２】
ボルトとナットなどの連結器具を用いた四角型並びに円形型
組み立て式植木鉢
【手続補正書】
【提出日】令和2年12月21日(2020.12.21)
【手続補正１】
【補正対象書類名】実用新案登録請求の範囲
【補正対象項目名】全文
【補正方法】変更
【補正の内容】
【実用新案登録請求の範囲】
【請求項１】
組み合わせタガを用いた、逆四角錐台形の四角型組み立て式植木鉢、ならびに、逆円錐台形の円形型組み立て式植木鉢であって、鉢壁は、四角型の場合は鉢壁のそれぞれの角を縦に4分割した同型の鉢壁により1組が構成され、円形型の場合は口径の大きさにより、縦に3分割、または、4分割した同型の鉢壁により1組が構成され、組み合わせタガは、それぞれ分割された鉢壁の外側に密接する長方形、または、孤の形をしたタガで1組が構成され、互いのタガを連結するための突起物と前記の突起物を受け入れる穴を備えた同型のタガで、それぞれ四角型、または、円形型の連結タガに組み立て、これらは鉢の深さにより複数が用意され、さらに、それぞれ四角形、または、円形の中心部に排水用の鉢底穴を有する鉢底板で構成される 四角型、ならびに、円形型組み立て式植木鉢。
【請求項２】
ボルトとナット、または、L字型の長い柄の部分にL字型の短い頭の部分に対して直角に一体化された2枚の長方形の小さなクリップ用の板で連結するクランプなどの連結器具を用いた、四角柱形、および、逆四角錐台形の四角型組み立て式植木鉢、ならびに、円柱形、および、逆円錐台形の円形型組み立て式植木鉢であって、鉢壁は、四角型の場合は鉢壁のそれぞれの角を縦に4分割した同型の鉢壁により1組が構成され、円形型の場合は口径の大きさにより、縦に3分割、または、4分割した同型の鉢壁により1組が構成され、四角型は4分割された同型の鉢壁の両側外方135度に細長い帯状の外縁を一体化し、円形型は3分割、または、4分割された外壁の両側に、それぞれが円形になる角度に細長い帯状の外縁を一体化し、該縁には、ボルト、または、L字型クランプなどの連結器具が入る穴が、鉢の深さにより複数開けられており、該穴に入るボルトとナット、あるいは、L字型クランプのL字の短い部分の頭を該穴に入れ、L字の長い柄の部分を下げることで、柄に一体化された2枚のクリップ用の板で、それぞれの外壁同士が連結され、さらに、それぞれ四角形、または、円形の中心部に排水用の鉢底穴を有する鉢底板で構成される 四角型、ならびに、円形型の組み立て式植木鉢。